(57)【特許請求の範囲】
【請求項１】
アンチロック制御システム（２０３）を有する原動機付き車両（２０１）のブレーキ装置内における車両基準速度（ＶＲＥＦ）を求めるための方法であって、
原動機付き車両の一つの車輪（ＶＲ）において、スリップ制御（２０４）が車両基準速度（ＶＲＥＦ）に応じて実施可能であり、及び車輪速（ｖ）の計測の為の一つのセンサー（２０２）が、このスリップ制御可能な車輪（ＶＲ）に設けられている前記方法において、  第一の車輪速信号（ｖｆｉｌｔ＿ｇｒａｄｌｉｍ）が、計測された車輪速（ｖ）のローパスフィルタリングによって形成され、
第一の車輪速信号（ｖｆｉｌｔ＿ｇｒａｄｌｉｍ）の負の傾きが、予め定められた勾配限界値（Δｖｍａｘ＿ｎ／Ｔ）に制限されること、及び
第一の車輪速信号（ｖｆｉｌｔ＿ｇｒａｄｌｉｍ）が、当該車輪（ＶＲ）のスリップ制御を行うために、車輪ごとの車両基準速度（ＶＲＥＦ，３，４２，６２，１０２，１１０，１２２，１２３，１４２）として採用されることを特徴とする方法。
【請求項２】
原動機付き車両（２０１）が、動力を装備したシングルトラック車両であることを特徴とする請求項１に記載の方法。
【請求項３】
減速度（ａＦｚｇ）を求めるために、第一の車輪速信号（ｖｆｉｌｔ＿ｇｒａｄｌｉｍ，ＶＲＥＦ，３，４２，６２，１０２，１１０，１２２，１２３，１４２）と比較される第二の車輪速信号（１，４０，６０，１００，１０８，１２０，１４０，１４３）が形成されること、及び、勾配限界値（Δｖｍａｘ＿ｎ／Ｔ）が求められた減速度（ａＦｚｇ）に応じて適合されること、又は、勾配限界値（Δｖｍａｘ＿ｎ／Ｔ）が求められた減速度（ａＦｚｇ）と同じであるよう選択されることを特徴とする請求項１または２に記載の方法。
【請求項４】
第二の車輪速信号（１，４０，６０，１００，１０８，１２０，１４０，１４３）が車輪の計測された車輪速（ｖ）のみに基づいて形成されることを特徴とする請求項３に記載の方法。
【請求項５】
第二の車輪速信号（１，４０，６０，１００，１０８，１２０，１４０）が、計測された車輪速（ｖ）のフィルタリングされていない信号に相当すること、又は、第二の車輪速信号（１４３）が、第一の車輪速信号（ｖｆｉｌｔ＿ｇｒａｄｌｉｍ）のローパスフィルタリングのフィルター定数よりも小さいフィルター定数による計測された車輪速（ｖ）のローパスフィルタリングによって形成されることを特徴とする請求項３または４に記載の方法。
【請求項６】
減速度（ａＦｚｇ）が、時間経過（ΔＴ）と、これに付随する第一の車輪速信号（ｖｆｉｌｔ＿ｇｒａｄｌｉｍ，ＶＲＥＦ，３，４２，６２，１０２，１１０，１２２，１２３，１４２）の速度差（Δｖ）とから求められることを特徴とする請求項３から５のいずれか一項に記載の方法。
【請求項７】
時間経過（ΔＴ）が、第一の作動ポイント（７，９，４７，１０３，１１１）及び第二の作動ポイント（８，１０，４８，１０４，１１２）の間の時間的間隔と、第一の作動ポイント及び第二の作動ポイントの間の第一の車輪速信号（３，４２，１０２，１１０）の速度変化としての速度差（Δｖ）とから求められ、
その際、第一の作動ポイント（７，９，４７，１０３，１１１）は、車輪（ＶＲ）の車輪不安定が検出されるときか、車輪（ＶＲ）のスリップがスリップ閾値を越えるときか、又は車輪（ＶＲ）における増圧がアンチロック制御により実施されるときに検出されることを特徴とする請求項６に記載の方法。
【請求項８】
第二の車輪速信号（１，４０，１００）が降下し、第二の車輪速信号が第一の車輪速信号（３，４２，１０２）と交差するとき、付随する第二の作動ポイント（８，１０，４８，１０４）が検出されることを特徴とする請求項７に記載の方法。
【請求項９】
第一の車輪速信号（１１０）及び第二の車輪速信号（１０８）が、所定の時間経過（ΔＴｓｄ）の間、最大、所定の値分異なるとき、付随する第二の作動ポイント（１１２）が検出されることを特徴とする請求項７に記載の方法。
【請求項１０】
車輪（ＶＲ）のアンチロック制御の増圧フェーズの間、勾配限界値（Δｖｍａｘ＿ｎ／Ｔ）が、増圧フェーズ中における車輪（ＶＲ）での圧力上昇（ΔＰ）に比例する値（ΔａＦｚｇ）分高められることを特徴とする請求項１から９のいずれか一項に記載の方法。
【請求項１１】
動力を装備したシングルトラック車両のブレーキ装置において実施される方法であって、スリップ制御された車輪（ＶＲ）の第一の車輪速信号を求めるための勾配限界値（Δｖｍａｘ＿ｎ／Ｔ）が、スリップ制御される車輪（ＶＲ）と異なる他の車輪（ＨＲ）のブレーキライトスイッチの信号（ＨＲ−ＢＬＳ）に応じて適合されることを特徴とする請求項１から１０のいずれか一項に記載の方法。
【請求項１２】
原動機付き車両（２０１）のブレーキ装置であって、アンチロック制御システムを有し、このアンチロック制御システムが、この原動機付き車両の車輪（ＶＲ）のスリップ制御（２０４）の為のブレーキ制御装置（２０３）と、スリップ制御可能なこの車輪（ＶＲ）の車輪速（ｖ）の計測の為のセンサー（２０２）を有し、その際、ブレーキ制御装置（２０３）内においてこの車輪（ＶＲ）のスリップ制御の為の車両基準速度（ＶＲＥＦ）が求められる前記ブレーキ装置において、
ブレーキ制御装置（２０３）内において、車輪ごとの車両基準速度（ＶＲＥＦ）を求めるための請求項１から１１のいずれか一項に記載の方法が実施されることを特徴とするブレーキ装置。
【請求項１３】
シングルトラック車両（２０１）のブレーキ装置であって、このブレーキ装置が、両車輪（ＶＲ）の一方においてのみ、スリップ制御が実施されるよう形成されていること、及び、このブレーキ装置が、スリップ制御可能な車輪（ＶＲ）に車輪速（ｖ）の計測の為のセンサー（２０２）を有することを特徴とする請求項１２に記載のブレーキ装置。
【請求項１４】
シングルトラック車両（２０１）のブレーキ装置であって、このブレーキ装置が、両車輪（ＶＲ，ＨＲ）においてスリップ制御が実施可能であるよう形成されており、その際、両車輪に各一つの車輪速（ｖ）の計測の為のセンサー（２０２）が設けられていること、両車輪（ＶＲ，ＨＲ）の各々のためのブレーキ制御装置（２０３）内において車輪ごとの車両基準速度（ＶＲＥＦ）が求められること、及び、
ブレーキ制御装置（２０３）が、両車輪（ＶＲ，ＨＲ）の各々において、各車輪ごとの車両基準速度（ＶＲＥＦ）に応じてスリップ制御を実施することを特徴とする請求項１２に記載のブレーキ装置。
【請求項１５】
電気機械的なブレーキを有する原動機付き車両のブレーキ装置において、
全ての車輪の車輪速に基づいて求められる包括的車両基準速度に応じての、原動機付き車両の全ての車輪のスリップ制御の為の中央ブレーキ制御装置と、
車輪ごとのブレーキ制御装置の各々のブレーキ装置の故障の際には、そのブレーキ装置に付設された車輪の為の車輪ごとの車両基準速度（ＶＲＥＦ）が求められ、及びそのブレーキ装置に付設された車輪のスリップ制御が、車輪ごとの車両基準速度（ＶＲＥＦ）に応じて実施される、各車輪に付設された車輪ごとのブレーキ制御装置とに特徴を有する請求項１２に記載のブレーキ装置。
【発明の詳細な説明】
【技術分野】
【０００１】
本発明は、請求項１の上位概念部に記載の車両基準速度を求めるための方法と、請求項１０の上位概念部に記載のブレーキ装置に関する。
【背景技術】
【０００２】
電子制御部を有するアンチロック制御システム（ＡＢＳ）は、市場において多数の実施例が公知である。大部分のシステムにおいては、制御に必要な情報は個々の車輪の回転の態様の計測から得られ、その際、全ての車輪回転数信号を結びつけることによって、車両速度を近似的に再現する車両基準速度が算出され、その後、この車両基準速度は、車輪スリップ及び他の制御値を求めるため、そして最終的に車輪ブレーキ内のブレーキ圧を見積もり又は制御するために採用される。
【０００３】
物理的に不可能な車両速度変化が参照値形成中に入り込まないよう、例えば車両基準速度を形成する際に、その傾きを制限することもまた知られている。これについては特許文献１を参照されたい。
【０００４】
ここ数十年の間に、モーターサイクルは、簡易的に装備された移動手段から、趣味的乗り物へと発展した。そして運転車の安全性も前面へと押し出されることとなった。数年前の自動車と同様、だんだんとモーターサイクルもアンチロックシステム（ＡＢＳ）が装備されるようになった。例えば特許文献２から、モーターサイクルの為のロック防止装置が後置である。さらに特許文献３からは、粘着係数を求めるための方法及びモーターサイクルのロック防止されたブレーキングを行うための方法が公知である。
【先行技術文献】
【特許文献】
【０００５】
【特許文献１】独国特許出願第３８３３２１２Ａ１号明細書
【特許文献２】欧州特許第０５４８９８５Ｂ１号明細書
【特許文献３】独国特許出願第４０００２１２Ａ１号明細書
【発明の概要】
【発明が解決しようとする課題】
【０００６】
本発明の課題は、原動機付き車両のスリップ制御可能な車輪のアンチロック制御の為の、信頼性の高い車両基準速度を求める方法であって、コスト面で安価なブレーキ装置内においてや、ブレーキ装置の故障の場合においても実施可能である方法を提供することである。
【課題を解決するための手段】
【０００７】
この課題は、請求項１に記載の方法により解決される。
【０００８】
本発明は、当該車輪のスリップ制御の為に、車輪ごとの車両基準速度が採用され、この車両基準速度が、この車輪のみの車輪速に基づいて求められるという思想に基づいている。車両基準速度としては、車輪速信号が使用される。この車輪速信号は、計測された車輪速のローパスフィルタリングによって、及びフィルタリングされた信号の負の傾きを勾配限界値へと制限することによって求められる。
【０００９】
ここで勾配限界値は、正であるとして仮定され、これによって負の傾きの最大値を与える。
【００１０】
「車輪速」とは、車輪速と直接関係のあるあらゆる全ての値である。つまり車輪回転時間や車輪回転数もそうである。
【００１１】
本発明が目指すところのメリットは、車輪のアンチロック制御の為の確かな車両基準速度が、その車輪の車輪速に基づいてのみ得られることが可能であることにある。これに応じて、本発明は、車輪回転数センサーがスリップ制御可能な車輪にのみ設けられているという、安価なブレーキ装置においても使用可能である。同様に本発明は、例えば電気機械式のブレーキを有するブレーキバイワイヤ式のブレーキ装置においても、非常時対策措置として使用可能である。そこでは、車輪ごとのアンチロック制御は、車輪ごとの制御ユニットによって、一つの属する車輪速に基づいてのみ実施可能である。
【００１２】
計測された車輪速信号へのノイズと短時間での車輪速変化が、車両基準速度内に入り込まないように、計測された車輪速は好ましくは強度のフィルターをかけられる。好ましくは、フィルタリングの為に、時間係数約８０ｍｓから約１００ｍｓの一次のローパスフィルターが使用される。
【００１３】
本発明の更なる発展形に従い、車両基準速度の負の勾配を制限するための勾配限界値が、各制御の会誌に対して、所定の初期値に設定され、そしてその後、アンチロック制御中の車輪速の推移に応じて常に適合される。特に好ましくは、勾配限界値の適合の間、この所定の初期値が越えられない。負の傾きの値に対する初期値は、特に好ましくは１ｇの値を有する（ｇ：重力加速度）。
【００１４】
好ましくは、勾配限界値の適合の為に、第二の車輪速信号が形成され、この信号が減速度を求めるために第一の車輪速信号と比較される。求められた減速度に応じて、適合された勾配限界値が求められる。特に好ましくは、新たな勾配限界値は、求められた減速度と同じに設定される。
【００１５】
本発明の有利な実施形に従い、第二の車輪速信号は、計測された車輪速のフィルタリングされていない信号から与えられる。さらなるフィルター等は、必要とされない。
【００１６】
本発明の他の有利な実施形に従い、第二の車輪速信号が、計測された車輪速のローパスフィルタリングによって求められる。その際、第二の車輪速信号のローパスフィルタリングのフィルター定数は、第一の車輪速信号のローパスフィルタリングのフィルター定数よりも小さい。特に有利には、第二の車輪速信号の為のフィルター定数は、約３０ｍｓから４０ｍｓである。第二の車輪速信号として、弱度にフィルタリングされた車輪速信号を考慮することにより、車輪速中の振動によって減速度を求めることに対する恣意的影響が表れることが防止される。
【００１７】
好ましくは減速度は、平均車両減速度であり、よって、時間経過と、これに属する第一の車輪速信号の速度差、つまり車両基準速度の速度差より求められる。
【００１８】
有利な実施形では、時間経過が、第一の作動ポイントと第二の作動ポイントの間の時間的間隔と、これに付随する、第一の作動ポイントと第二の作動ポイントの間の第一の車輪速信号の速度変化としての速度差とから求められる。第一の作動ポイントは、その際、車輪の車輪不安定の検出のポイントに相当する。車輪の車輪不安定は、特に有利には、車輪のスリップがスリップ閾値を越えるか、又はアンチロック制御によってその車輪に減圧が実施されるときに検出される。第二の作動ポイントは、特に有利には、車輪不安定が基本的に落ち着くポイントである。この作動ポイントに基づいて計算された減速度は、車輪の不安定性を落ち着かせる間の平均車両減速度に相当する。付随する、適合された勾配限界値は、有利には、従前の勾配限界値よりも小さい。
【００１９】
発明に従う方法の有利な実施形に従い、第二の車輪速信号が、車輪不安定が落ち着いた後に下降し、その結果、第二の車輪速信号が第一の車輪速信号と交差するとき、第一の作動ポイントに対応する第二の作動ポイントが検出される。特に有利には、第二の車輪速信号と第一の車輪速信号の当該交点が、アンチロック制御による増圧の開始基準（開始クリテリウム）である。
【００２０】
上述したような第一の車輪速信号と第二の車輪速信号の適当な交点が現れないような場合、第一の作動ポイントに付随する第二の作動ポイントは、第一の車輪速信号と第二の車輪速信号が所定の時間経過の間、所定の速度値の分、最大限異なるとき検出される。特に有利には、所定の時間経過は約４０ｍｓから６０ｍｓの値を取る。所定の最大速度値は、有利には約３ｋｍ毎時の値を取る。
【００２１】
車両のアンダーブレーキを防止するために、有利には、第一の車輪速信号を制限するための勾配限界値は、車輪のアンチロック制御の増圧フェーズの間高められる。このため、勾配限界値は、増圧フェーズ中におけるその車輪の圧力上昇に比例する値分高められる。
【００２２】
好ましくは、アンチロック制御は、デジタル式のアンチロック制御器中において実施される。つまり制御器は時間離散的に動作し、及び相応する値を、一定の均等な時間間隔（ループ時間）中に処理する。
【００２３】
同様に、第一の車輪速信号、第二の車輪速信号および勾配限界値が、制御器の各ループ時間の後、新たに求められるのが有利である。
【００２４】
本発明の発展形に従い、第二の車輪速信号及び第一の車輪速信号の交点は、ループ時間の間に第一の車輪速信号と第二の車輪速信号が同じであるか、又は、現在のループ時間と以前のループ時間の比較において、両方の信号が他方の信号よりも大きいという交替が発生したときに検出される。
【００２５】
有利には、発明に係る方法は、動力を装備したシングルトラック車両のブレーキ装置中で実施され、この場合、スリップ制御される車輪、例えば前輪の第一の車輪速信号の制限の為の勾配限界値が、他の車輪、例えば後輪の為のブレーキライトスイッチの信号に応じて適合される。特に有利には、勾配限界値が、前輪のアンチロック制御の間、後輪のブレーキライトスイッチ信号が「無効」から「有効」へと変更されるとき所定の値分高められ、そして前輪のアンチロック制御の間、後輪のブレーキライトスイッチ信号が「活性」から「不活性」へと変更されるとき、所定の値だけ低められる。
【００２６】
有利には、発明に従う方法は、両車輪の一方においてのみ、特に前輪においてのみスリップ制御が実施可能であるよう設計されており、そして、このスリップ制御可能な車輪に対してのみ車輪速の計測のためのセンサーが設けられているシングルトラック車両のブレーキ装置中で実施される。
【００２７】
発明に従う方法が、両車輪においてスリップ制御が実施可能であるよう設計されており、両車輪にそれぞれ、車輪速計測の為の一つのセンサーが設けられているシングルトラック車両のブレーキ装置中で実施されることも同様に有利である。好ましくは、両車輪の各々に対して所定の状況において、車輪ごとの車両基準速度が求められ、及び両車輪の各々において、各車輪ごとの車両基準速度に応じてスリップ制御が実施される。
【００２８】
さらに有利には、発明に係る方法は、ブレーキバイワイヤ式のブレーキ装置中で実施される。このブレーキ装置中では、例えば非常時用ブレーキモード中に、例えば各車輪に付設された車輪ごとのブレーキ制御装置によって、各属する車輪のスリップ制御が、対応する車輪ごとの車両基準速度に応じて実施される。特に有利には、ブレーキバイワイヤ式のブレーキ装置は、電気機械式のブレーキを備えている。
【００２９】
本発明は、上述した方法が実施されるブレーキ装置にも関する。
【００３０】
本発明の更なる有利な実施形は、下位の請求項や、以下に記載する図面に基づく詳細な説明からも生ずる。
【図面の簡単な説明】
【００３１】
【図１】単一走行車線上におけるＡＢＳ制御の間の例示的な信号推移
【図２】突発的な摩擦値減少を伴う走行車線上におけるＡＢＳ制御の間の、例示的な信号推移
【図３】突発的な摩擦値増大を伴う走行車線上におけるＡＢＳ制御の間の、例示的な信号推移
【図４】低い又は高い摩擦値を有する走行車線上におけるＡＢＳ制御の間の、例示的な信号推移
【図５】二つの異なる車両基準速度に対するＡＢＳ制御の開始の例示的な信号推移
【図６】更なる補助的信号によるＡＢＳ制御の開始の例示的な信号推移
【図７】発明に従う方法の実施に適したオートバイの図
【発明を実施するための形態】
【００３２】
アンチロック制御（ＡＢＳ制御）の原理は、車輪の過ブレーキまたは車輪不安定が発生した時、制御される車輪のブレーキ圧を増圧することを意図する。その際これらは、大きなブレーキスリップや、高い車輪減速度を介して検出される。車輪ブレーキ圧の適当な減圧の後、及びこれにより結果として生ずる車輪の安定したスリップ領域への加速の後、車輪のブレーキ圧はこれが更なる可視的な車輪不安定へと至るまで再び段階的に高められる。このような周期的な増圧及び減圧は、車両が静止状態に至るまで、または運転者がブレーキ圧を、ロック圧レベルより下へと下げるまで繰り返される。車輪スリップの制御の為の減圧及び増圧の原理は公知である。
【００３３】
変動する走行車線摩擦値においても最適な車輪圧値を見出すために、車輪スリップと車輪加速度が注意深く回析され、これによって車輪のロック傾向が検出される。その際、車輪スリップが、いわゆる車両基準速度（ＶＲＥＦ）に基づいて計算される。というのは実際の車両速度は、高コストをかけないと計測不可能であり、またよってブレーキ制御器に対しては通常なじみが無いからである。よって、車輪不安定の精確な判定の為に、採用される車両基準速度ＶＲＥＦは可能な限り実際の車両速度に良く近似している必要がある。車両基準速度ＶＲＥＦが高すぎると、大きすぎるスリップが仮定され、場合によっては予定より早く圧力が減圧されることとなり、このことはアンダーブレーキ（ブレーキ不足）に至る可能性がある。あまりに低く仮定された車両基準速度ＶＲＥＦにおいては、あまりに低く計算されたスリップが、あまりに高い車輪不安定を装い、このことは車輪のオーバーブレーキング（過剰ブレーキ）を引き起こす可能性がある。
【００３４】
よって、確かな車両基準速度を、唯一の車輪回転速度信号のみに基づいて形成するための方法が提案される。
【００３５】
例に従い、車両基準速度の計算又は見積もりの為の方法は、動力を装備したシングルトラック車両、例えばモーターサイクルやスクーターの為の１チャンネル・アンチロックブレーキシステムの電子制御器中において実施される。ブレーキシステムの液圧的および電気的な構造にもとづき、１チャンネルによって、前輪ＶＲのブレーキ圧のみが制御される。更に、コスト上の理由から、前輪ＶＲの車輪回転数のみがセンサーによって把握される。車両基準速度ＶＲＥＦの計算および見積もりは、前輪ＶＲのＡＢＳ制御の為に行われ、よって前輪ＶＲの回転数情報にのみ基づいて行われる。
【００３６】
図１は、単一の走行車線上におけるＡＢＳ制御中の例に従う信号推移を示す。信号推移に基づいて、以下に例に従う方法を説明する。前輪ＶＲの車輪速ｖの時間的な挙動は、推移１により表され、推移２は（実際の）車両速度を表す。線３は、見積もられた車両基準速度ＶＲＥＦを再現している。推移４は、運転者によって操作されるブレーキ圧（与圧）を再現し、推移５は、制御される前輪ＶＲの車輪ブレーキ圧Ｐを再現している。
【００３７】
例に従い、前輪ＶＲの車輪速１は、比較的強くフィルタリングされ、これは例えば、一次のローパスフィルター及び約８０ｍｓから１００ｍｓの時間定数で行われる。結果の信号ｖｆｉｌｔは、車両速度において第一の近似としてみなされ、ｖｆｉｌｔ＿ｎ＝（（ｋ−１）＊Ｔ＊ｖｆｉｌｔ＿ｎ−１＋Ｔ＊ｖｎ）／（ｋ＊Ｔ）であり、またはループ時間Ｔによる約分によってｖｆｉｌｔ＿ｎ＝（（ｋ−１）＊ｖｆｉｌｔ＿ｎ−１＋ｖｎ）／ｋであり、その際、
ｖｆｉｌｔ＿ｎは、現在の制御ループにおけるフィルタリングされた車輪速であり、
ｖｆｉｌｔ＿ｎ−１は、前の制御ループにおけるフィルタリングされた車輪速であり、
ｖｎは、現在の制御ループにおける車輪速であり、
Ｔは、ループ時間、特にデジタル式の、ＡＢＳ制御器のループ時間（例えば１０ｍｓ）であり、そして、
ｋ＊Ｔは、ローパスフィルターの時間定数である（例えば、８０ｍｓ，つまりＴ＝１０ｍｓに対してｋ＝８）．
運転者が、ブレーキ中にあまりに高いブレーキ圧４を与えたとき、ＡＢＳ制御は、制御バルブの適切な起動によって車輪ブレーキ圧５を調節する。この車輪ブレーキ圧は、車輪ＶＲのロックを防止する。この周期的な車輪圧５のモジュレーション（調節）は、安全上の理由からしばしば短時間の所定の時間ΔＴ（例えば、時点２４および２６または２８および２９の間の時間間隔）の間、不安定性を伴う車輪の過ブレーキへと通じる。
【００３８】
そのような車輪不安定の場合、急激に降下する車輪速１のフィルタリングされた信号ｖｆｉｌｔがあまりに強烈に追従しないように、フィルタリングされた信号の負の勾配が、最大値Δｖｍａｘに制限される。この最大値は、ＡＢＳブレーキの間連続的に適合される。フィルタリングされ、および勾配を制限された信号は、ｖｆｉｌｔ＿ｇｒａｄｌｉｍと称される。第ｎ回目の制御ループ中において、勾配を制限されたフィルタリングされた速度ｖｆｉｌｔ＿ｇｒａｄｌｉｍ＿ｎは、よって以下の式にしたがい、フィルタリングされた車輪速ｖｆｉｌｔ＿ｎとｖｆｉｌｔ＿ｎ−１およびΔｖｍａｘ＿ｎの差の最大として求められる。ｖｆｉｌｔ＿ｇｒａｄｌｉｍ＿ｎ＝Ｍａｘ（ｖｆｉｌｔ＿ｎ，（ｖｆｉｌｔ＿ｎ−１−Δｖｍａｘ＿ｎ））。
【００３９】
フィルタリングされた信号ｖｆｉｌｔ＿ｎが、前のループのフィルタリングされた信号ｖｆｉｌｔ＿ｎ−１よりも小さいとき、勾配Δｖｍａｘ＿ｎだけ減少し、ｖｆｉｌｔ＿ｇｒａｄｌｉｍ＿ｎは値ｖｆｉｌｔ＿ｎ−１−Δｖｍａｘにセットされる。これによって安定した基準信号ｖｆｉｌｔ＿ｇｒａｄｌｉｍが得られ、この信号は一方で、車輪速１に直接向けられ、しかし他方で、車輪ＶＲにおいては発生するかもしれないが車両減速度としては発生しない高い負の勾配に追従しない。図１には、上述の計算方法に従い求められた車両基準速度ＶＲＥＦまたはｖｆｉｌｔ＿ｇｒａｄｌｉｍが、破線信号３で表されている。この信号は、わずかに実際の車両速度２よりも下方にある。
【００４０】
信号ｖｆｉｌｔ＿ｇｒａｄｌｉｍ＿ｎが、基準速度ＶＲＥＦとして、信頼可能であるよう、例に従い、長さＴの各制御ループ中の制限勾配Δｖｍａｘ＿ｎ／Ｔ、又はループごとの最大速度変化Δｖｍａｘ＿ｎが適切に計算される。その際、最大の速度変化Δｖｍａｘ＿ｎは、各値にセットされる。この値は、現実の車両減速度に基づいてループごとの実際の車両速度減少ΔｖＦｚｇ＿ｎよりもわずかに上方にある。つまり、Δｖｍａｘ＿ｎ＞ΔｖＦｚｇ＿ｎである。
【００４１】
制限勾配Δｖｍａｘ＿ｎ／Ｔの例に従う推移が図１中に信号６として表されている。
【００４２】
速度変化Δｖｍａｘ＿ｎの計算は、このため例に従い以下のように行われる。ＡＢＳ制御の外側または開始時では、最大限考えられる摩擦値つまり値１が存在する結果（信号６のレベル１９）、車両はフルブレーキ時に重力加速度１ｇでもってわずかに減速されることができるということから出発している。このような仮定は、信頼性の高い見積もりの為の未だ十分な計測値が存在しないので、及び、あまりに高く見積もられた基準速度ＶＲＥＦに基づく車両のアンダーブレーキを防止するためには、安全のため物理的な最大限考え得る車両減速度から出発する必要があるので必要である。相応して、最大の速度変化が、Δｖｍａｘ＿ｎ＝１ｇ＊Ｔに従い計算される（その際、Ｔは制御のループ時間である）。
【００４３】
時点２４から２６の車輪不安定の第一のフェーズ中、これは、車輪速１の見積もられた車両基準速度３が、最大の減速度１ｇでもってスリップ内へと続くということを意味している。車輪圧５の適当なモジュレーション（調節）によって、車輪ＶＲは、再び車両速度２の方へと加速される。信号３が、あまりに低く見積もられたので、車輪速１が信号３を時点２５において越え、及び上述したフィルター機能によって時点２６まで再び引きあげる結果、信号１と３の新たな交点８が発生する。
【００４４】
例に従い、制限勾配Δｖｍａｘ＿ｎ／Ｔ（信号６）の為の新しい値２０が計算される、というのは速度差Δｖ（値１３）は時間ΔＴ（値１４）によって割られ、時間間隔ΔＴの間の平均の車両減速度に対する良好な程度を表すからである。このため、車輪不安定（作動ポイント７）が検出されたとき、車両基準速度ＶＲＥＦ（信号３）の値１１が保存されることによってΔｖが計算される。信号の交差点８における車両基準速度ＶＲＥＦの値１２が、この値１１によってマイナスされ、Δｖの為の値１３が生じる。ΔＴの計算の為に、点８の時点２６によって点７の時点２４がマイナスされる。ΔｖとΔＴによる商は、時間間隔ΔＴにおける平均の車両減速度である、ａＦｚｇ＝Δｖ／ΔＴ。これから、現在の制限勾配Δｖｍａｘ＿ｎ／ＴがΔｖｍａｘ＿ｎ／Ｔ＝ａＦｚｇに従い生じる。
【００４５】
そのようにして求められた減速度２０は、以前の値１９よりも小さい、というのは車輪不安定の間隔１４の間、減速度の増加が当該車輪ＶＲのブレーキ状況に基づいて行われないからである。
【００４６】
車両基準速度ＶＲＥＦをあまりに高いレベルに維持しないように、増圧フェーズ中の減速度が、例に従い再度適合される。高められた車両減速度は、車輪ブレーキ圧５が高められた時（図１の時点２６および２７並びに２９および３０）のみ期待される。よって、制限勾配６は、例に従い、圧力上昇ΔＰ（例えば時点２７における値１５）から比例的に計算される値ΔａＦｚｇだけ高められる。つまり、Δｖｍａｘ＿ｎ／Ｔ＝Δｖｍａｘ＿ｎ−１／Ｔ＋ΔａＦｚｇであり、その際ΔａＦｚｇ＝Ｋ＊ΔＰである。
【００４７】
ファクターＫは、ブレーキの効率から生じ、そして既知として仮定される。例えば、前輪圧が３ｂａｒだけ上昇したとき、モーターサイクルの減速度は０．６ｍ／ｓ２だけ高まる。これに対して、ファクターＫは、Ｋ＝ΔａＦｚｇ／ΔＰ＝０．６ｍ／ｓ２／３ｂａｒ＝０．２ｍ／ｓ２／ｂａｒとなる。ファクターＫの値は車両の負荷によっておよびブレーキの品質によって様々である。よって、ファクターの値を、別の上方（シングルトラック車両の負荷の状況、ブレーキディスク時の状態等）に基づき適合的に選択することは有益である。
【００４８】
ブレーキ装置中に、圧力上昇ΔＰを求めるためのブレーキ圧センサーが存在しない場合、値ΔＰは、例にしがたいバルブ挙動を介して見積もられる。図１の例では、時間間隔１８中に別の車輪不安定が行われるので、制限勾配の計算のアナログ的な進め方が、作動ポイント９および１０をベースとして行われる。これは作動ポイント７および８に基づいて上述したとおりである。制限勾配６は、時点２９に対して高めの値２１から低めの値２２へと減少され、そして時点３０において再度の増圧に基づいて再び値２３へと高められる。
【００４９】
つまり、例に従う方法は、車輪ＶＲのＡＢＳ減圧が行われる不安定フェーズ中に、各一つの信頼性の高い新たな値をＶＲＥＦの制限勾配に対して求め、そしてこれを、車輪圧５の各新たな増圧の際にわずかに高めるということを意図している。
【００５０】
基本的に制限勾配６は、小さすぎるよりも大きすぎるよう求められるべきである。このことは、図１の例からもまたわかる。これによって車両のアンダーブレーキが確実に回避される。ＡＢＳ制御は、車輪のスリップだけでなく車輪の減速度も評価するので、オーバーブレキーは以下の理由から回避されることが可能である。ブレーキをかけられた車輪ＶＲの現実のスリップが大きすぎるとき、タイヤと走行車線の間の静止摩擦は動摩擦へと移行する。よって制御技術的にみるとポジティブフィードバック効果（自己増強効果）がロック傾向の場合生ずる。この効果は、車輪ＶＲの極めて突然の減速に通ずる。よって車輪減速度が追加的に評価されるとき、ＶＲＥＦの見積もりの例に従う方法は、常に最善のブレーキポイントの十分良好な検出につながる。当該ブレーキポイントにおいて、車輪圧はその後再び減少される。オートバイはいずれにせよ、確実なライディングが保証される地面上でのみブレーキをかけられるという事実は、追加的に役に立つ。これによって、氷の上や滑りやすい雪の上に表れる極端に低い摩擦値は割愛され、例えば、極めてつるつるした地面上を下っているときのブレーキ中における、少なくとも一時的な車両の加速のような部分的にはＰＫＷ（商用自動車）において発生するような極端な効果は不可能であるということが確実となる。
【００５１】
オートバイは、しばしば前輪ブレーキから独立した後輪ブレーキを備えている。そのブレーキ効率は、例えば、運転者が前輪のＡＢＳ制御中に後輪におけるブレーキ圧を変更したとき、ブレーキの減速度に影響を及ぼす。よって、本発明の実施例に従い、後輪サーキットのブレーキライトスイッチ（ＨＲ−ＢＬＳ信号）が後輪ブレーキの証しとして、全体の方法中に考慮される。例えば、ＨＲ−ＢＬＳ信号が、前輪のＡＢＳ制御中に「不活性」から「活性」へと変更される際に、車両基準速度の為の制限勾配Δｖｍａｘ＿ｎ／Ｔは、あるパーセント値の分だけ高められるか、または、「活性」から「不活性」へと変更の際にあるパーセント値の分だけ減少される。
【００５２】
図２は、その摩擦値が、ＡＢＳ制御の間時点５５に対して突発的にジャンプするように増加する地面上でのブレーキングに対する例に従う信号推移を簡略的に示す。前輪ＶＲの車輪速の挙動は、推移４０によって表されている。推移４１は車両速度を表している。線４２は、見積もられた車両基準速度ＶＲＥＦを再現している。推移４４は、運転者によって与えられたブレーキ圧（与圧）を表し、推移４５は制御される前輪ＶＲにおける車輪ブレーキ圧を再現している。信号４６は、制限勾配Δｖｍａｘ＿ｎ／Ｔを再現している。
【００５３】
摩擦値の急変更（ミュージャンプ）の結果、時点５５から強烈な車輪ロック傾向が表れるこれを落ち着かせるために、車輪圧４５は、時間間隔５２中の運転者によって与えられるあまりに高い与圧４４に対して明らかに減少される。ＶＲＥＦの制限勾配４６が、それ以前は高い値５３にあったので、車両基準速度の信号４２は、時点５５と５７の間において急激にスリップへと推移し、そしてこれによって明らかに実際の車両速度４１から離れる。しかし、時間間隔５７から５８中の車輪ＶＲの加速によって、車両基準速度は再び修正される。車両基準速度４２と車輪速４０の交点４８においては、制限勾配４６に対して上述した方法に従い再び低めの値５４が算出される、というのは車両減速度は、比較的長い時間間隔５２中では低いのみであり、よって少ない減圧のみが車両速度（Δｖ）中で達成されるからである。これは、作動ポイント４７と４８における速度４９と５０の差である。つまり信号４６の低い値５４は、小さな商Δｖ／ΔＴから生ずる（上述の式に従いΔｖｍａｘ＿ｎ／Ｔ＝ａＦｚｇ＝Δｖ／ΔＴ）。図２に表された例は、例に従う方法が、摩擦値の高い値から低めの値への迅速な移行に対しても、ＶＲＥＦ勾配に対する確かな最大値を迅速に算出することを表す。これは、時点５８の後、車両基準速度４２がまさに平坦に降下する、つまり高いレベルに保持されることに配慮し、このことは低い走行車線摩擦値を考慮して有益である。
【００５４】
図３は、摩擦値が、ＡＢＳ制御の間時点７０において突発的に増加する地面上におけるブレーキングに対する、例に従う信号推移を簡略的に示す。前輪ＶＲの車輪速の時間的挙動は、推移６０によって表されおり、推移６１が車両速度を表す。線６２は、見積もられた車両基準速度ＶＲＥＦを再現している。推移６３は、運転者によって与えられるブレーキ圧（与圧）を、推移６４は制御される前輪ＶＲにおける車輪ブレーキ圧を再現している。信号６５は、制限勾配Δｖｍａｘ＿ｎ／Ｔを再現している。
【００５５】
摩擦値の急変更（ミュージャンプ）の後、ＡＢＳ制御される車輪ＶＲのロック傾向が明らかに減少する。このことは、安定的に推移する車輪速６０から見て取れる。これに対応して、車輪圧６４のレベルが、時点７２，７３および７４において運転者によって要求される与圧６３に段階的に近づいている。車両減速度は、これによって増加し、そして実際の車両速度６１は強烈にゼロに向かう。例に従う方法によって車輪圧ΔＰの各増圧によってＶＲＥＦ制限勾配６５もまた段階的に値６７，６８および６９へと高められるので、車両基準速度６２が車輪速６０にその都度急に追随する。これによって例に従う方法は、増加する走行車線摩擦値における車両基準速度の有意義な見積もりを確実なものとする。
【００５６】
図４は、車輪不安定の間のＶＲＥＦ制限勾配の計算の為の別の二つの例を簡略的に示す。
【００５７】
図４ａには、低い摩擦値上でのブレーキの間の例示的信号推移が簡略的に表されている。前輪ＶＲの車輪速の時間的挙動は、推移１００によって表され、推移１０１は、車両速度を表している。線１０２は、見積もられた車両基準速度ＶＲＥＦを再現している。図２において表された例に基づいて説明したのと類似して、車両基準速度１０２は、先ず、あまりに急にスリップへと入り、よって、実際の車両速度１０１からは明らかに遠ざかる。時点１０６の後、車両基準速度１０２は、フィルター機能を使って再び車輪速１００によって持ち上げられる。時点１０６における交差した点の後、時点１０７に対して更なる別の信号の交差が作動ポイント１０４に存在する。ここで、商Δｖ／ΔＴによって、例に従い新たなＶＲＥＦ制限勾配が形成される。
【００５８】
このような場合、特に安定的なＡＢＳ制御の理由から、少なくとも車輪速１００が再び車両速度１０１に近づくよう、制御される車輪ＶＲにおける圧力が推移するよう減圧される必要がある。あまりに早期に増圧が行われた場合（つまり時点１０６の前に行われた場合）、車輪ＶＲはスリップのまま維持されるので、不安定性が発生する恐れがある。これは、適切なＡＢＳ制御ストラテジーの設計によって回避されることが可能であるので、車両基準速度ＶＲＥＦを求めるための例に従う方法は、この場合にも確かな結果を提供する。同様に、時点１０６の近傍における走行車線の摩擦値の減少は、車輪速１００が車両速度１０１に近づかないということに通じ得る。いずれにせよＡＢＳ制御は適切な減圧により、そのような状況が少なくとも長く続いて発生しないということに従事する。
【００５９】
図４ｂにおいては、高摩擦値走行車線上におけるブレーキの間の例に従う信号推移が簡略的に表されている。前輪ＶＲの車輪速の時間的挙動は、推移１０８によって表されており、推移１０９が車両速度を表す。線１１０は、見積もられた車両基準速度ＶＲＥＦを表している。車両が、ＡＢＳ制御のすでに第一の時間間隔１１３から１１４においてすでに強烈に減速されているので、車輪速１０８は車両基準速度１１０の上に増加しない。よって、これによって上述の方法では商Δｖ／ΔＴが求められた、信号１０８と１１０の交点は存在しない。この場合、例に従い車輪速１０８が有る所定の時間間隔ΔＴｓｄ内で、車両基準速度１１０の近傍に留まっているかどうかが確認される、つまり例えば両信号１０８，１１０の差が、例えば約５０ｍｓといった十分長い時間低いかどうか（例えば３ｋｍ／ｈより小さいかどうか）確認される。時間間隔ΔＴｓｄの経過の後、つまり時点１１４において、作動ポイント１１２が実際の車両基準速度として定義される。検出された車輪不安定（作動ポイント１１１）の時点１１３と時点１１４から、Δｖ／ΔＴの商の計算が可能であり、そしてＶＲＥＦ制限勾配が検出されることが可能である。
【００６０】
車両基準速度の推移は、車輪速のフィルタリングに依存する。よって、車両基準速度ＶＲＥＦと車輪速の間の交点もまた、例に従いフィルタリングによって変化することが可能であり、このことは更に、商Δｖ／ΔＴを求めるための作動ポイントの検出の異なる結果へと通じる。
【００６１】
この関係を明らかにするために、図５に二つの異なるフィルター定数の比較例が表されている。信号１２０は、車輪速を表す。この車輪速から、フィルタリングと勾配制限によって例に従い車両基準速度が形成される。信号１２２は、弱いフィルタリングの車両基準速度を示し、信号１２３は、強いフィルタリングの場合における車両基準速度を示している。信号１２１は、実際の車両速度を再現している。
【００６２】
弱いフィルタリング（１２２）の場合の車両基準速度は、強いフィルタリング（１２３）の場合においてよりもより早く車輪速１２０に追従する。しかしこれは両方向においてそうであるので、つまり車両速度１２１から離れる場合においてもこれに近づく場合においてもそうであるので、ほぼ同じ結果が商を求める場合Δｖ／ΔＴに表れる。弱いフィルタリングの場合においては、より早期に信号の交点１２５が時点１２８において生じ、強いフィルタリングの場合においては、交点１２６は、遅めの時点１２９においてようやく生じる。強いフィルタリングにおける少し延長された時間間隔ΔＴｓは、通常、同様に少し大きくされた速度差Δｖｓによって相殺される。
【００６３】
結果が大きく異なることなく、フィルター定数は広い領域において変化することが可能であるということが示された。しかしもちろんフィルター定数をあまりに大きく選択すると、変化する摩擦値を有する状況における車両基準速度は、部分的に、実際の車両速度に良好でない追従のみを行う。よって有利には、フィルター定数の限界値として１００ｍｓの値が越えられない。
【００６４】
図６には、例に従う一つの信号推移が簡略的に表されており、これに基づき、例に従う方法の為に、フィルタリングされていない前輪ＶＲの車輪速が使用されるとき、如何なる困難性が発生する可能性があるかが表されている。前輪ＶＲの車輪速の時間的挙動は、推移１４０によって表されており、推移１４１は車両速度を表す。そして線１４２は、見積もられた車両基準速度ＶＲＥＦを再現している。
【００６５】
ロック傾向が落ち着いた後、車輪速１４０における振動に基づいて、比較的早期の時点１４８における車両基準速度１４２と車輪速１４０の間の交点１４５に本当に低い速度レベルとなる。例が示すように、交点１４５の状態（Ｌａｇｅ）は、少し恣意的に、車輪速１４０における強い振動によって引き起こされる。しかしながらこのような振動は、ＡＢＳ制御の間、ごくわずかに発生することしかできない。車両基準速度の勾配制限の結果を再現可能なものとするために、例に従い、実際の車輪速１４０ではなく、弱くフィルターをかけられた車輪速１４３を使用することが提案される。ここで、使用されるフィルター定数は、車両基準速度の計算の為のフィルター定数より明らかに下方にあり、つまり例えば略３０から４０ｍｓである。
【００６６】
図６にみてとれるように、弱くフィルターをかけられた車輪速１４３は、より遅い時点１４９においてかつ高い速度レベルにある交点１４６へと通じる。これから求められるΔｖｆ／ΔＴｆは、車両基準速度の勾配制限の本質的により良好な結果へと通じ、これは交点１４５からのあまりに大きな商Δｖ／ΔＴより良好である。車輪速の弱いフィルタリングの措置によって、ロック防止制御される車輪ＶＲの不安定フェーズの愛大の車両減速度のエラーを含んだ計算の可能性は明らかに減少される。
【００６７】
例に従い、（例えばコスト上の理由から）一つの車輪のみがロック防止制御され、したがって一つだけの車輪速センサーが設けられているオートバイのＡＢＳシステムにおける車両基準速度を求めるための方法が実施される。図７は、極めて簡略的に表現した図で、本発明に係る方法が有利には実施される例示的モーターサイクルを示す。モーターサイクル２０の前輪ＶＲには車輪回転数センサー２０２が設けられている。他方で後輪ＨＲの車輪回転速度は計測されない。モーターサイクル２０１は、アンチロックブレーキシステムを有するブレーキ装置を備えている。このうち、ここでは極めて簡略的にブレーキ制御装置２０３が表されている。ブレーキ装置は、前輪ＶＲにおいてのみＡＢＳスリップ制御が実施可能であるよう設計されている。これは図７において、ブレーキ制御装置２０３と前輪ＶＲの間の破線矢印２０４によって簡略的に表されている。
【００６８】
一つの車輪の車輪速情報のみが、ローカルの（車輪ごとの）ブレーキ制御ユニット中に存在する同様なブレーキ制御システム中において本方法を組込むこともまた有益である。例えばこれは、商用車（ＰＫＷ）の少なくとも部分的に電気機械的なブレーキシステム中において考え得る、このシステムは、少なくとも二つの車輪、特に車両の各車輪に独立したブレーキ制御ユニット（ＷＣＵ：ホイールコントロールユニット）が提供される。
【００６９】
上位に置かれた走行ダイナミクス制御および車輪スリップ制御を実施するために、例に従い一つの中央ブレーキ制御ユニット（ＥＣＵ：電子コントロールユニット）が組み込まれ、この制御ユニットが、すべての車輪速情報を提供する。中央のブレーキ制御ユニットＥＣＵは、エラー時でない場合に、好ましくは一つのバスシステムを介して圧力要求またはブレーキ力要求を、個々の車輪ブレーキの制御ユニットＷＣＵへと伝送する結果、これらローカルの制御ユニットが、通常の運転状態において別々のＡＢＳ制御を実施しない。中央の制御ユニット（ＥＣＵ）又はデータ伝送を行うためのバスシステムが故障した場合、その付設される車輪の速度信号が使える状態であるとき、各車輪ブレーキの制御ユニット（ＷＣＵ）がエラーのバックアップとしてローカル的な制御を行うことができる。このようなバックアップにおいては、各車輪ブレーキにおいてローカルのＡＢＳ制御が実施される。このために必要な車両基準速度は、当該車輪の個々の車輪速に基づいてローカルの制御ユニット（ＷＣＵ）内で求められる。
【００７０】
例に従い、本方法は、スタッド付きタイヤを装備し、主としてオフロード条件で使用されるオートバイにおいてもまた実施される。オートバイが、２チャンネルの制御器及び二つの独立した車輪速センサーを有していたとしても、アンダーブレーキ状況を回避するために、ここでは車輪ごとの基準の速度が計算される。上述したオートバイにおいては、アンダーブレーキの問題が、特に、個々の車輪のブレーキングにおいて、ブレーキをかけられていない車輪が高すぎる車両基準速度を引き起こし、そしてＡＢＳ制御される他方の車輪がこれによって低すぎるスリップレベルへと動かされることによって発生する可能性がある。よって、制御される車輪に対して独立した車両基準速度を求め、この車両基準速度が、ロック傾向がそれぞれ落ち着かせられた後、制御される車輪の振動・スリップレベル（Ｅｉｎｓｃｈｗｉｎｇ−Ｓｃｈｌｕｐｆｎｉｖｅａｕ）に合わせられると有益である。安全のため、例に従い、これら独立した車両基準速度が、所定の値の分だけ包括的な車両基準速度の下方に位置することがあるということが要求される。その際、包括的な車両基準速度は両車輪速から求められ、そして、ブレーキをかけられていない車輪の車輪速に主として合わせられる。
【００７１】
例に従い、車両基準速度ＶＲＥＦを求めるための方法は、一つの制御される車輪サーキットのみを有し、及びこの一つの制御される車輪の速度を検出するための一つのセンサーのみを有するアンチロックブレーキシステム内において実施される。車輪が、減圧と圧力保持によって再び車両速度にむけて近づけて加速される制御されるという、車輪の不安定フェーズ中においては、平均の車両減速度ａＦｚｇは、第一の信号が当該車輪の車輪速の強いローパスフィルタリングと最大１ｇへの追加的な勾配制限によって形成され、及び、第二の信号が車輪速のいローパスフィルタリングによって勾配制限なしに形成されることによって求められる。これら両信号の交点は、車輪の不安定性が落ち着いた後、以前の車輪不安定の検出の時点における第一の信号の速度値及びこの時点自体とともに、勾配ａＦｚｇ＝Δｖ／ΔＴを形成するのに、使用される。（ここでΔｖ＝両速度の速度差であり、そしてΔＴ＝両時点の差である。）この平均の車両減速度ａＦｚｇは、車両基準速度ＶＲＥＦの負の勾配を望まれる減速度の程度に制限するために採用される。その際、車両基準速度ＶＲＥＦ自体として、第一の（強くフィルターをかけられた、及び勾配制限された）信号が使用される。
【００７２】
車両基準速度ＶＲＥＦの勾配制限の為に採用される平均的な車両減速度ａＦｚｇは、例に従い、車輪の各不安定フェーズ中に上述した方法にしたがい求められる。
【００７３】
例に従い、車両基準速度ＶＲＥＦの勾配制限の為に使用される平均の車両減速度ａＦｚｇは、ＡＢＳ制御器によって車輪の安定フェーズ中にもらたされる各増圧パルスにおいて、増圧パルスの大きさに比例して選択されるある値だけ高められる。
【００７４】
制御される車輪がオートバイの前輪であるとき、車両基準速度ＶＲＥＦの勾配制限の為に使用される平均の車両減速度ａＦｚｇは、スイッチ（例えばブレーキライトスイッチ等）を介して、オートバイの運転者が追加的な操作を後輪ブレーキサーキットに開始し、一方で前輪のＡＢＳ制御がすでに実施されているということが検出されると、例に従い相応する値だけ高められる。
【００７５】
他の実施例に従い、本方法は、二つの車輪速センサーを有する２チャンネルＡＢＳを有するオートバイ中でもまた実施される。ここでは、ブレーキをかけられ及びＡＢＳ制御される各車輪に対して、独立した車両基準速度ＶＲＥＦが求められ、各車輪を（（オフロード走行車線またはスタッド付きのタイヤを使用する際といった）特に極端な状況のもと）個々の最善として算出されるスリップレベルに制御する。
【００７６】
発明に従う方法は、例に従い、例えば電気機械式のブレーキを有する複雑なバイワイヤ式のブレーキ装置中で、ローカル式のブレーキ制御器を有する任意の原動機付き車両においてもまた実施される。そのような方式のブレーキシステムは、通常運転状態においてブレーキ要求をバスシステムを介してローカルの車輪ごとのブレーキ制御器に送る中央ＡＢＳ制御器を有している。中央の制御器又はバスシステムが故障した場合、付設される車輪のバックアップモードへと通じ、その際車輪ごとの車両基準速度ＶＲＥＦが、例に従う方法に基づき求められる。
【００７７】
例に従い、アンチロック制御は、デジタル式のアンチロック制御器中で実施される。つまり、制御器は時間離散的に動作し、そして相応する値を、一定の均等な時間間隔（ループ時間）中に処理する。第二の作動ポイント８，１０，４８，１０４の検出の為に、一つの制御ループｎの間に第一及び第二の車輪速信号の二つのデジタル信号が、完全に同じであるということは、たとえこれらがアナログ的にみて重なりあっているとしても、ほとんど起こらない。
【００７８】
両信号がループｎ中において同じであるとき、
（１）  ＶＲＥＦｎ＝ｖｎ，
又は、以前のループｎ−１以来、第二の車輪速信号が第一の車輪速信号を下回る又はこれに達するというとき、
（２）  ｖｎ−１＞ＶＲＥＦｎ−１及びｖｎ≦ＶＲＥＦｎ，
又は、以前のループｎ−１以来、第二の車輪速信号が第一の車輪速信号を越えるまたはこれに達するというとき、
（３）  ｖｎ−１＜ＶＲＥＦｎ−１及びｖｎ≧ＶＲＥＦｎ
第一の車輪速信号（車両基準速度ｖｆｉｌｔ＿ｇｒａｄｌｉｍ＿ｎまたはＶＲＥＦｎ）と第二の車輪速信号（車輪速又は弱くフィルターをかけられた車輪速ｖｎ）の交点は、よって例に従い一つのループｎ中における検出として有効である。
【００７９】
例えば第二の車輪速信号が第一の車輪速信号を「超えるように交差する」時点２５における第一の交点は、上述の関係（３）に基づき検出されることができる。例えば第二の車輪速信号が、第一の車輪速信号を「下回るように交差する」時点２６、つまり第二の作動ポイント８は、上述の関係（２）に基づき検出されることが可能である。
【図１】
0005870100.tif 000002
【図２】
0005870100.tif 000003
【図３】
0005870100.tif 000004
【図４ａ】
0005870100.tif 000005
【図４ｂ】
0005870100.tif 000006
【図５】
0005870100.tif 000007
【図６】
0005870100.tif 000008
【図７】
0005870100.tif 000009